(57)【特許請求の範囲】
【請求項１】
装置本体に設けたユニット収容部内にキャスタ付き搭載ユニットを収容可能な情報処理装置であって、
前記キャスタ付き搭載ユニットのキャスタ、またはキャスタ支持部を収容するキャスタ収容切欠が設けられるユニット収容部の底壁には、キャスタ収容切欠を上方から覆い、キャスタ支持部の幅寸法にほぼ合致し、該キャスタ支持部が嵌合可能な嵌合切欠を有する閉塞プレートが幅方向に移動自在に装着される情報処理装置。
【請求項２】
前記閉塞プレートは幅方向中心に対して対称方向に付勢力を付与する一対のスプリングにより付勢されて幅方向中央位置に保持される請求項１記載の情報処理装置。
【発明の詳細な説明】
【０００１】
【発明の属する技術分野】
本発明は情報処理装置に関するものである。
【０００２】
【従来の技術】
キャスタ付き搭載ユニットを収容可能な情報処理装置の従来例を図４に示す。この従来例において、情報処理装置には前面に向けて開放可能なユニット収容部２が設けられる。キャスタ付き搭載ユニット３は引き出し先頭端側にキャスタ４を備え、該キャスタ４を転動させてユニット収容部２から引き出すことができる。上記ユニット収容部２の底壁２ａには、キャスタ収容切欠６が設けられており、搭載ユニットはキャスタ支持部５がキャスタ収容切欠６に嵌合した状態で装置本体１に収容される。
【０００３】
【発明が解決しようとする課題】
しかし、上述した従来例において、図５に示すように、搭載ユニットが収容された状態においてキャスタ４とキャスタ収容切欠６との間には、隙間ｄがあるために、該隙間ｄから昆虫、あるいはネズミ等が入り込み、搭載ユニットの障害の原因となるという欠点がある。
【０００４】
本発明は、以上の欠点を解消すべくなされたものであって、搭載ユニットの収容部への昆虫等の侵入を防止することのできる情報処理装置の提供を目的とする。
【０００５】
【課題を解決するための手段】
本発明によれば上記目的は、
装置本体１に設けたユニット収容部２内にキャスタ付き搭載ユニット３を収容可能な情報処理装置であって、
前記キャスタ付き搭載ユニット３のキャスタ４、またはキャスタ支持部５を収容するキャスタ収容切欠６が設けられるユニット収容部２の底壁２ａには、キャスタ収容切欠６を上方から覆い、キャスタ支持部５の幅寸法にほぼ合致し、該キャスタ支持部５が嵌合可能な嵌合切欠７を有する閉塞プレート８が幅方向に移動自在に装着される情報処理装置を提供することにより達成される。
【０００６】
キャスタ付き搭載ユニット３は、キャスタ４、あるいはキャスタ支持部５をキャスタ収容切欠６に入り込ませることにより、外部に飛び出すことなくユニット収容部２内に収容される。図２に示すように、収容状態において、キャスタ収容切欠６とキャスタ４、あるいはキャスタ支持部５との隙間ｄは閉塞プレート８により覆われて閉塞され、該隙間ｄからユニット収容部２内への昆虫、ネズミ等の侵入が防がれる。閉塞プレート８はキャスタ付き搭載ユニット３の幅方向、すなわち、キャスタ付き搭載ユニット３の収容動作方向に直交する方向に移動自在なために、キャスタ支持部５との間に過度のクリアランスを設けなくても、キャスタ支持部５の移動方向のずれに追随してキャスタ支持部５を嵌合切欠７に受容することができる。
【０００７】
閉塞プレート８は一対のスプリング９、９により逆方向に付勢することにより、嵌合切欠７を幅方向中心位置に保持し、かつ、キャスタ支持部５の進行方向線のずれにも対応することができる。
【０００８】
【発明の実施の形態】
図１、２に本発明の実施の形態を示す。この実施の形態において、情報処理装置は、現金自動取引装置であり、装置本体１の前面には操作パネル１ａ、カード挿入口１ｂ、および現金払い出し口１ｃが配置される。また、上記装置本体１の下部には扉１０により閉塞可能なユニット収容部２が開口部を前方に向けて設けられる。
【０００９】
キャスタ付き搭載ユニット３は内部に紙幣を収容可能な紙幣ユニットであり、前端下面にキャスタ支持部５に支持されたキャスタ４を備える。また、キャスタ付き搭載ユニット３の底壁には図示しないユニット収容部２のガイドレールに対して相対移動自在なスライドレール、あるいは後部車輪が配置され、ユニット収容部２から前方に引き出すことができる。一方、上記ユニット収容部２の底壁２ａには、キャスタ収容切欠６が切り欠かれており、キャスタ付き搭載ユニット３をユニット収容部２に収容する際にキャスタ支持部５を受容する。
【００１０】
キャスタ収容切欠６は図２に示すように、装置本体１の正面側に開放端を向けた矩形の切欠であり、キャスタ支持部５の進入線が幅方向にずれてもキャスタ支持部５が嵌合可能なように、幅方向寸法Ｗ６はキャスタ支持部５の幅寸法Ｗ５より大寸に形成される。
【００１１】
この結果、キャスタ支持部５が嵌合した状態でキャスタ支持部５とキャスタ収容切欠６との間には大きな隙間ｄが生じ、この隙間ｄを塞ぐために閉塞プレート８が配置される。閉塞プレート８は、適宜の板厚を有する平板で、一側縁中心部に嵌合切欠７が切り欠かれる。この嵌合切欠７の切欠幅は、キャスタ支持部５との間の隙間ｄを可及的に狭くし、かつ、キャスタ支持部５が嵌合可能な寸法に設定される。また、嵌合切欠７の開放端には、面取り部７ａが設けられ、外方への開放幅寸法が大きくされる。
【００１２】
以上のように形成される閉塞プレート８は、ネジ１１によりユニット収容部２の底壁２ａに装着される。閉塞プレート８側に設けられる上記ネジ１１の挿通孔８ａは幅方向に長い長孔であり、図２（ａ）において矢印で示すように、上記底壁２ａに装着した状態で閉塞プレート８の挿通孔８ａの長寸方向、すなわち、幅方向への移動を可能にする。閉塞プレート８の移動が円滑になるように、ネジ１１には合成樹脂等、自己潤滑性に優れた材料により形成されるスペーサ１２が装着される。
【００１３】
したがってこの実施の形態において、キャスタ支持部５がキャスタ収容切欠６に収容された状態で、キャスタ支持部５とキャスタ収容切欠６との間の隙間ｄは閉塞プレート８により塞がれるために、隙間ｄから昆虫、ネズミ等が入り込むことがない。また、キャスタ４のキャスタ収容切欠６への進入位置が幅方向にずれても、キャスタ支持部５は、まず面取り部７ａに衝接する。この後、キャスタ付き搭載ユニット３をさらにユニット収容部２に押し込むと、面取り部７ａは側方への分力をキャスタ支持部５から受けて側方に移動するために、何等の調整を要せずに確実にキャスタ支持部５を嵌合切欠７に嵌合させることができる。
【００１４】
図３に上述した実施の形態の変形例を示す。この変形例において、閉塞プレート８には開口８ｂが開設され、そのほぼ中心位置にユニット収容部２の底壁２ａから突設されるバネかけ起立片１３が突出する。一方の開口８ｂの幅方向辺縁には一対のバネかけ片１４、１４が切り起こされ、これら一対のバネかけ片１４とバネかけ起立片１３との間に一対の引っ張りスプリング９、９が介装される。一対の引っ張りスプリング９はバネ定数、および取り付け時の撓みが一致しており、取り付け状態において対応するバネかけ片１４に中心方向への付勢力を付与する。以上のようにして、閉塞プレート８は引っ張りスプリング９の付勢力が平衡する中心位置に保持されており、キャスタ支持部５が中心から幅方向にずれた位置から進入すると、面取り面により幅方向の力が付与された閉塞プレート８は一方の引っ張りスプリング９の付勢力に抗して側方に移動して嵌合切欠７内にキャスタ支持部５を受容し、キャスタ付き搭載ユニット３が引き出されると、引っ張りスプリング９の復元力により原位置、すなわち、中心位置に復帰する。
【００１５】
【発明の効果】
以上の説明から明らかなように、本発明によれば、ユニット収容部底壁とキャスタ支持部との隙間をなくすことができるために、搭載ユニットの収容部への昆虫等の侵入を防止することのできる。
【図面の簡単な説明】
【図１】本発明を示す図である。
【図２】図１の要部を示す図で、（ａ）はユニット収容部の底壁を上方から見た図、（ｂ）は（ａ）の２Ｂ-２Ｂ線断面図である。
【図３】図１の変形例を示す図で、（ａ）はユニット収容部の底壁を上方から見た図、（ｂ）は（ａ）の３Ｂ-３Ｂ線断面図である。
【図４】従来例を示す図である。
【図５】図４の要部を示す図で、（ａ）はユニット収容部の底壁を上方から見た図、（ｂ）は（ａ）の５Ｂ-５Ｂ線断面図である。
【符号の説明】
１        装置本体
２        ユニット収容部
３        キャスタ付き搭載ユニット
４        キャスタ
５        キャスタ支持部
６        キャスタ収容切欠
７        嵌合切欠
８        閉塞プレート
９        スプリング
【図１】
0003868165.tif 000002
【図２】
0003868165.tif 000003
【図３】
0003868165.tif 000004
【図４】
0003868165.tif 000005
【図５】
0003868165.tif 000006